(57)【特許請求の範囲】
【請求項１】
空気吹き出し口にほぼ水平に設けられた薄板を上下に駆動し、該空気吹き出し口から吹き出される気流の方向を上下に変化させる上下風向調節機構と、
該空気吹き出し口にほぼ垂直に設けられた薄板の向きを左右に駆動し、該空気吹き出し口から吹き出される気流の方向を左右に変化させる左右風向調節機構と、
空気調和機を遠隔制御するワイヤレスリモートコントロールユニットとを有し、
該左右風向調節機構は、該空気吹き出し口の左側部分から吹き出される気流の方向を左右に変化させる第１の風向調節機構と、該空気吹き出し口の右側部分から吹き出される気流の方向を左右に変化させる第２の風向調節機構とに分割され、該第１と第２の風向調節機構は、それぞれ独立に駆動可能であり、
該ワイヤレスリモートコントロールユニットは、該第１の風向調節機構を駆動する信号を生成する第１のスイッチと、該第２の風向調節機構を駆動する信号を生成する第２のスイッチと、該上下風向調節機構及び該第１と第２の風向調節機構を同時に調節する一発気流スイッチと、該上下風向調節機構が斜め下方向に固定されると共に該左右風向調節機構が前方向に固定されるセンタースイッチとを有することを特徴とする空気調和機。  
【発明の詳細な説明】
【０００１】
【発明の属する技術分野】
本発明は、空気調和機に関し、特に、カードタイプのリモートコントロールユニットによって風向を制御することができる空気調和機に関する。
【０００２】
【従来の技術】
図４は、従来の空気調和機の概略構成図であり、リモートコントロールユニット２、３から送信された光信号により室内機１が制御される様子を示す。また、図５は、ワイヤレスリモートコントロールユニット（ 以下、リモコンユニットと言う ）２の外観図、図６は、カードタイプワイヤレスリモートコントロールユニット（ 以下、カードリモコンユニットと言う ）３の外観図である。
【０００３】
図４に示すように、空気調和機の室内機１は、リモコンユニット2又はカードリモコンユニット3から送信される赤外線等の光信号を電気信号に変換する信号受信部４と、変換された電気信号に基づいて空気調和機の各種制御を行う制御部５とを有する。
【０００４】
また、制御部５は、光信号から変換した電気信号を処理する受信信号処理部6と、空気調和機の運転と停止を制御する運転・停止制御部15aと、室内温度と外気温度を検出してコンプレッサの能力を制御する温度調整制御部15bと、空気吹き出し口のフラップとルーバを制御して風向を調整する風向調整制御部15cとを内蔵する。
【０００５】
リモコンユニット2は、図５の外観図に示すように、空気調和機の運転と停止を指示する運転・停止スイッチ13aと、室内温度の設定値を上げ下げする温度スイッチ13bと、暖房と冷房等を切り換える運転切換スイッチ13c等の多数のスイッチを有し、更に、図４の構成図に示すように、運転・停止スイッチ13a等のスイッチ操作を検出するスイッチ読込部10と、スイッチ読込部10からの信号により室内機１に送信する送信信号を生成する送信信号処理部９と、送信信号処理部９で生成した送信信号を赤外線等の光信号に変換し、室内機1の信号受信部4に向けて送信する信号送信部7とを有する。
【０００６】
一方、カードリモコンユニット3は、操作スイッチの種類が少なく構成されており、空気調和機の風向調整を簡便に行うことができる。即ち、カードモコンユニット3は、図６の外観図に示すように、空気調和機の運転と停止を指示する運転・停止スイッチ14aと、室内機１の空気吹き出し口から吹き出される気流の向きを調節する風向調節スイッチ14bと、運転モードを初期状態に戻すモードクリアスイッチ14cと、１時間のタイマを設定する１時間タイマスイッチ14dと、空気吹き出し口から吹き出される気流を室内の中央部に集中させるスポットスイッチ14eとを有する。
【０００７】
また、カードリモコンユニット３は、図４の構成図に示すように、リモコンユニット2と同様、運転・停止スイッチ14a等のスイッチ操作を検出するスイッチ読込部12と、室内機１に送信する送信信号を生成する送信信号処理部11と、送信信号を赤外線等の光信号に変換し、室内機1の信号受信部4に向けて送信する信号送信部８とを有する。
【０００８】
リモコンユニット２又はカードリモコンユニット３から送信された光信号は、室内機1の信号受信部4で電気信号に変換されて受信信号処理部6に伝送される。受信信号処理部6は、この電気信号に基づいて運転・停止制御部15a等に指令信号を出力し、各スイッチ操作に対応した制御を行う。
【０００９】
【発明が解決しようとする課題】
このように、従来の空気調和機のカードリモコンユニット3は、空気調和機の風向調節のためのスイッチが集約されており、また、小型軽量であることから空気調和機の風向を簡便に調節することができる。
【００１０】
すなわち、従来の空気調和機では、カードリモコンユニット3の風向調節スイッチ14bを押すことにより、空気調和機の空気吹き出し口に設けられた上下風向調節フラップ及び左右風向調節ルーバを駆動し、風向を好みの方向に調節することができる。
【００１１】
しかしながら、従来の空気調和機の空気吹き出し口に設けられる上下風向調節フラップ及び左右風向調節ルーバは、それぞれ一体となって駆動されるため、使用者の好みに応じて風向を多様に調節することができず、より快適な空気調和を実現することができなかった。
【００１２】
例えば、左右風向調節ルーバは、空気吹き出し口から吹き出される気流を左右の任意の方向に向けることができるが、空気調和機の室内機１が室内の壁の左隅に設置されている場合等に、空気吹き出し口の左側部分から吹き出される気流を直進させ、空気吹き出し口の右側部分から吹き出される気流を右方向に進ませる等、使用者の好みに応じて風向を多様に調節することができなかった。
【００１３】
そこで、本発明の目的は、使用者の好みに応じて風向を多様に調節することができ、より快適な空気調和を実現することができる空気調和機及びそれに用いるワイヤレスリモートコントロールユニットを提供することにある。
【００１４】
【課題を解決するための手段】
上記の目的を達成するために、本発明の空気調和機は、空気吹き出し口にほぼ水平に設けられた薄板を上下に駆動し、空気吹き出し口から吹き出される気流の方向を上下に変化させる上下風向調節機構と、空気吹き出し口にほぼ垂直に設けられた薄板の向きを左右に駆動し、空気吹き出し口から吹き出される気流の方向を左右に変化させる左右風向調節機構と、空気調和機を遠隔制御するワイヤレスリモートコントロールユニットとを有し、左右風向調節機構は、空気吹き出し口の左側部分から吹き出される気流の方向を左右に変化させる第１の風向調節機構と、空気吹き出し口の右側部分から吹き出される気流の方向を左右に変化させる第２の風向調節機構とに分割され、第１と第２の風向調節機構は、それぞれ独立に駆動可能であり、ワイヤレスリモートコントロールユニットは、第１の風向調節機構を駆動する信号を生成する第１のスイッチと、第２の風向調節機構を駆動する信号を生成する第２のスイッチと、上下風向調節機構及び第１と第２の風向調節機構を同時に調節する一発気流スイッチと、上下風向調節機構が斜め下方向に固定されると共に左右風向調節機構が前方向に固定されるセンタースイッチとを有することを特徴とする。
【００１５】
本発明によれば、空気吹き出し口の左側部分から吹き出される気流の方向を左右に変化させる第１の風向調節機構と、空気吹き出し口の右側部分から吹き出される気流の方向を左右に変化させる第２の風向調節機構とが設けられ、それぞれを独立して駆動することができる。このため、使用者の好みに応じた多様な気流制御を行うことができ、快適な空気調和を実現することができる。
【００１７】
本発明によれば、第１のスイッチと第２のスイッチの操作により、第１の風向調節機構と第２の風向調節機構とを独立して制御することができる。従って、室内の人数や家具の配置に応じて、空気吹き出し口から吹き出される気流の幅や方向を多様に設定することができ、使用者の好みに応じた快適な気流制御を簡単に実現することができる。
【００１８】
【発明の実施の形態】
以下、図面を参照して本発明の実施の形態例を説明する。しかしながら、かかる実施の形態例が、本発明の技術的範囲を限定するものではない。
【００１９】
図１は、本発明の実施の形態の空気調和機の概略構成図であり、リモートコントロールユニット２、103から送信される光信号により室内機100が制御される様子を示す。また、図２は、本実施の形態において、空気調和機の室内機100の空気吹き出し口150に設けられる上下風向調節フラップ120、左風向調節ルーバ130及び右風向調節ルーバ140を分解して示した概略構造図である。また、図３は、カードリモコンユニット103の外観図である。
【００２０】
図１に示すように、本実施の形態の空気調和機において、室内機100は、リモコンユニット2又はカードリモコンユニット103から送信される赤外線等の光信号を電気信号に変換する信号受信部104と、変換された電気信号に基づいて空気調和機の各種制御を行う制御部105とを有する。
【００２１】
また、制御部105は、光信号から変換された電気信号を処理する受信信号処理部106と、空気調和機の運転と停止を制御する運転・停止制御部115aと、室内温度と外気温度を検出してコンプレッサの能力を制御する温度調整制御部115bとを有し、更に、図２に示す空気吹き出し口150に設置される上下風向調節フラップ120を制御するフラップ制御部115cと、空気吹き出し口150の左側部分に設置される左風向調節ルーバ130を制御する左ウイングルーバ制御部115dと、空気吹き出し口150の右側部分に設置される右風向調節ルーバ140を制御する右ウイングルーバ制御部115eとを有する。
【００２２】
一方、カードリモコンユニット103は、図３の外観図に示すように、空気調和機の運転と停止を指示する運転・停止スイッチ114aと、空気吹き出し口150の上下風向調節フラップ120を制御するフラップスイッチ114dと、空気吹き出し口150の左側部分に設置される左風向調節ルーバ130を独立に制御する左ウイングスイッチ114eと、空気吹き出し口150の右側部分に設置される右風向調節ルーバ140を独立に制御する右ウイングスイッチ114fとを有し、更に、上下風向調節フラップ120及び左右の風向調節ルーバ130、140を同時に調節する一発気流スイッチ114bと、上下風向調節フラップ120が斜め下方向に固定されると共に、左右の風向調節ルーバ130、140が前方向に固定されるセンタースイッチ114cとを有する。
【００２３】
また、カードリモコンユニット103は、図１の構成図に示すように、運転・停止スイッチ114a等のスイッチ操作を検出するスイッチ読込部112と、スイッチ読込部112からの信号から室内機100に送信する送信信号を生成する送信信号処理部111と、送信信号処理部111で生成された送信信号を赤外線等の光信号に変換し、室内機100の信号受信部104に向けて送信する信号送信部108とを有する。なお、リモコンユニット２は、従来と同じ構成である。
【００２４】
一方、本実施の形態の空気調和機には、図２の概略構成図に示すように、室内機100の空気吹き出し口150に、空気吹き出し口150から吹き出される気流の向きを上下に調節する上下風向調節フラップ120と、空気吹き出し口150の左側部分から吹き出される気流の向きを左右に調節する左風向調節ルーバ130と、空気吹き出し口150の右側部分から吹き出される気流の向きを、左風向調節ルーバ130とは独立に左右に調節する右風向調節ルーバ140とが設けられる。
【００２５】
この場合、上下風向調節フラップ120には、フラップモータ121の駆動力が図示しないリンク機構により伝達され、空気吹き出し口150から吹き出される気流の向きを上下に調節する。また、左風向調節ルーバ130には、左ルーバモータ131の駆動力が左ルーバ連結棒132を介して伝達され、空気吹き出し口150の左側部分から吹き出される気流の向きを左右に調節する。同様に、右風向調節ルーバ140には、右ルーバモータ141の駆動力が右ルーバ連結棒142を介して伝達され、空気吹き出し口150の右側部分から吹き出される気流の向きを、左風向調節ルーバ130とは独立に左右に調節する。
【００２６】
このように本実施の形態の空気調和機には、室内機100の空気吹き出し口150に、左風向調節ルーバ130と右風向調節ルーバ140とが設けられ、それぞれを独立して駆動することができる。このため、使用者の好みに応じた多様な気流制御を行うことができ、快適な空気調和を実現することができる。
【００２７】
また、本実施の形態のカードリモコンユニット103には、図３の外観図に示すように、左ウイングスイッチ114eと右ウイングスイッチ114fとが配設され、これらスイッチの操作により、左風向調節ルーバ130と右風向調節ルーバ140とを独立して制御することができる。
【００２８】
従って、例えば、空気調和機の室内機100が室内の壁の左隅に設置されている場合等に、左風向調節ルーバ130を前方向に設定して空気吹き出し口150の左側部分から吹き出される気流を直進させ、右風向調節ルーバ140を右方向に設定して空気吹き出し口150の右側部分から吹き出される気流を右方向に進ませる等、使用者の好みに応じて風向を簡単に調節することができる。
【００２９】
また、左風向調節ルーバ130と右風向調節ルーバ140とをそれぞれ独立して調節できるため、室内の人数や家具の配置に応じて、空気吹き出し口150から吹き出される気流の幅や方向を任意に設定することができ、使用者の好みに応じた快適な気流制御を簡単に実現することができる。
【００３０】
本発明の保護範囲は、上記の実施の形態に限定されず、特許請求の範囲に記載された発明とその均等物に及ぶものである。
【００３１】
【発明の効果】
以上、本発明によれば、空気吹き出し口の左側部分から吹き出される気流の方向を左右に移動させる第１の風向調節機構と、空気吹き出し口の右側部分から吹き出される気流の方向を左右に移動させる第２の風向調節機構とが設けられ、それぞれを独立して駆動することができる。このため、使用者の好みに応じた多様な気流制御を行うことができ、快適な空気調和を実現することができる。
【００３２】
また、本発明によれば、第１のスイッチと第２のスイッチの操作により、第１の風向調節機構と第２の風向調節機構とを独立して制御することができる。従って、室内の人数や家具の配置に応じて、空気吹き出し口から吹き出される気流の幅や方向を多様に設定することができ、使用者の好みに応じた快適な気流制御を簡単に実現することができる。
【図面の簡単な説明】
【図１】本発明の実施の形態の空気調和機の概略構成図である。
【図２】本発明の実施の形態の空気調和機の室内機の概略構造図である。
【図３】本発明の実施の形態の空気調和機のカードリモコンユニットの外観図である。
【図４】従来の空気調和機の概略構成図である。
【図５】従来の空気調和機のリモコンユニットの外観図である。
【図６】従来の空気調和機のカードリモコンユニットの外観図である。
【符号の説明】
2   リモコンユニット
7,108  信号送信部
9,111  送信信号処理部
10,112  スイッチ読込部
13a,114a  運転・停止スイッチ
13b  温度スイッチ
13c  運転切換スイッチ
100   室内機
103   カードリモコンユニット
104    信号受信部
105    制御部
106    受信信号処理部
114b  一発気流スイッチ
114c  センタースイッチ
114d  フラップスイッチ
114e  左ウイングスイッチ
114f  右ウイングスイッチ
115a  運転・停止制御部
115b  温度調整制御部
115c  フラップ制御部
115d  左ウイングルーバ制御部
115e  左ウイングルーバ制御部
120  上下風向調節フラップ
121  フラップモータ
130  左風向調節ルーバ
131  左ルーバモータ
132  左ルーバ連結棒
140  右風向調節ルーバ
141  右ルーバモータ
142  右ルーバ連結棒
150  空気吹出口
【図１】
0004289644.tif 000002
【図２】
0004289644.tif 000003
【図３】
0004289644.tif 000004
【図４】
0004289644.tif 000005
【図５】
0004289644.tif 000006
【図６】
0004289644.tif 000007